(57)【要約】本発明は、郵便小荷物配送方法及び装置に関する。本発明は、仮の宛先アドレスが郵便小荷物の配送のため入力され、その入力後当該アドレスの修正が可能である。アドレスの識別がアドレスに割り当て可能であり、当該コードは所望の修正可能な宛先アドレスと組み合わせ可能である。【特許請求の範囲】
【請求項１】
受取人に郵便小荷物を配送する方法であって、前記郵便小荷物の配達のための仮の配送アドレスが入力され、入力後、前記仮の配送アドレスが変更可能であることを特徴とする方法。
【請求項２】
請求項１記載の方法であって、受取人識別コードが前記受取人に割り当てられ、前記受取人識別コード及び所望の配送アドレスが互いに関連付け可能であることを特徴とする方法。
【請求項３】
請求項２記載の方法であって、前記受取人識別コードに関連付けされた前記配送アドレスは変更可能であることを特徴とする方法。
【請求項４】
請求項３記載の方法であって、前記受取人識別コードと前記配送アドレスとの前記関連付けは自由に変更可能であることを特徴とする方法。
【請求項５】
請求項３または４の一項あるいは両方に記載の方法であって、前記配送アドレスは自動手続きにより変更可能であることを特徴とする方法。
【請求項６】
請求項１乃至５何れか一項以上記載の方法であって、前記郵便小荷物の配達は電子小荷物荷室システムの荷室になされることを特徴とする方法。
【請求項７】
請求項６記載の方法であって、前記郵便小荷物の配達はテーブルに含まれるデータに基づきなされることを特徴とする方法。
【発明の詳細な説明】
【０００１】
本発明は、郵便小荷物配送方法及び装置に関する。
【０００２】
従来の配送方法では、荷物の受取りが配達時にしばしば到着できないという問題がある。
【０００３】
特に、これは従来の郵便箱に適さない郵便小荷物の配達における短所である。
【０００４】
本発明は、郵便小荷物の配達が、迅速かつ確実であり、できるだけ少ない配送労力で行うことができる汎用性のある方法を向上させるという目的に基づく。
【０００５】
本発明によると、郵便小荷物の配送に対し仮の配送アドレスが入力され、（入力後）この仮の配送アドレスの変更が可能であり、当該配送アドレスが変更されると、この変更された配送アドレスに配達が行われるよう本方法は実行されることにより、この目的は実現される。
【０００６】
本発明は、郵便小荷物のフレキシブルな配送を可能にする。特に、本発明は、配送処理のフレキシブルな制御を提供する。好ましくは、ここでの所望の配送アドレスは、ユーザあるいは郵便サービス会社の要件の機能として変更可能な仮想配送アドレスのように扱われる。
【０００７】
郵便小荷物の発送の高い柔軟性と信頼性とを組み合わせるため、好適には、郵便小荷物が所定の配達時間内で所望の配達場所に届けられ、この規定された配達時間内で、所望の配送アドレスへの配達が予定された郵便小荷物の配送シーケンスにより行われるように、配送アドレス及び配達時間が選択される。
【０００８】
受取人識別コードと配送アドレスとのリンクは自由に変更可能であり、これはまた所定の手続きに従い実行可能である。
【０００９】
受取人識別コードと配送アドレスとの可変リンクは、郵便小荷物の送り手と受取人に対してだけでなく、郵便サービス会社に対しても最大の柔軟性に置き換えられる。
【００１０】
例えば、この方法では、交渉の文書をこの交渉が行われている場所にいるビジネスマンに送ることが可能であり、あるいは、スペアの材料や特別な道具を、利用場所にいるサービス技術者や利用場所近くの配達地点に送ることができる。
【００１１】
所定の手順に従う変更は同様に好適である。
【００１２】
例えば、受取人は、通常の勤務時間中は仕事場で配達物の受け取りを望むかもしれないが、帰宅中は電子小荷物荷室システム（ｅｌｅｃｔｒｏｎｉｃ  ｐａｒｃｅｌ  ｃｏｍｐａｒｔｍｅｎｔ  ｓｙｓｔｅｍ）への配達を、あるいは帰宅後に自宅のアドレスへの配達を望むかもしれない。
【００１３】
配達時間と配達場所の割り当てを有する記録テーブルにより、郵便サービス会社が各ケースにおいて受取人の所望の場所への配達を可能にする。
【００１４】
電子小荷物荷室システムへの配達についての上記例は、本発明の実行を示す他の好適な例である。
【００１５】
電子小荷物荷室システムへのそのような配達が特に好適なのは、郵便小荷物の受取人が予定の配達時間に受取人の自宅や職場への郵便小荷物の配達を希望しないと予想される場合、あるいは、受取人が一般的な配達手法を希望しない場合である。
【００１６】
例えば、すべての郵便小荷物、または定義及び変更可能な配達期間を有するすべての郵便小荷物の電子小荷物荷室システムへの配達が可能である。
【００１７】
これにより、郵便サービス会社に対して、郵便小荷物の格納または保持、あるいは再送に関連するロジスティック作業を含め、所望でない配送アドレスへの配達に関する労力を削減することができる。
【００１８】
電子小荷物荷室システムへの配達に関する方法の利用は、受取人による郵便小荷物を引き取るための不要な作業を抑制し、可能な最も早い時点で郵便小荷物の受け取りが可能となるので、郵便サービス会社のユーザにも同様に有益である。
【００１９】
電子小荷物荷室システムへの配送の場合、配送場所の選択の柔軟性は特に有益である。このように、個々の電子小荷物荷室システムまたは個々の郵便箱のフレキシブルな割り当てが可能である。
【００２０】
特に、本発明は、電子小荷物荷室システムあるいはそれに含まれる小荷物荷室のフレキシブルな配置に利用することができる。
【００２１】
これにより、受取人に有益なより長期の受け取り期間の選択的な提供が可能となり、ある郵便小荷物がそれに割り当てられた小荷物荷室から取り出される場合、この郵便小荷物の受け取り直後に、他の郵便小荷物をちょうど空いたこの小荷物荷室におくことが可能になる。
【００２２】
いくつかの潜在的に配置可能な電子小荷物荷室システムのフレキシブルな選択はユーザにとってもう一つの効果である。利用される方法の柔軟性により、ユーザにとってこの効果は、当該方法を実行するロジスティック会社により比較的少ない労力で利用可能である。
【００２３】
本発明の更なる効果、特徴及び実際上の調整はサブクレーム及び以下の好適実施例の説明から明らかになる。
【００２４】
本発明は、様々なタイプの配送及び転送の利用を可能にする。
【００２５】
例えば、ある店の顧客が注文をするとき、注文した商品の配達のための配達場所（小荷物荷室システム）と共に郵便番号（当該サービスのための顧客番号）を示す。
【００２６】
郵便番号には、正当性チェックのためのチェック桁が含まれている。
【００２７】
受取人識別コードが各注文に対し発行され、または複数の注文に対して利用されてもよい。第１のステップでは、システムは各顧客の郵便番号の発行を追跡する。しかしながら、各取引に対して、システムの利用認証を与える１つの番号が発行されると考えられる。
【００２８】
郵便サービス会社がその顧客に固定的な受取人識別コードを割り当てることは、特に好適である。
【００２９】
配送アドレスは、小荷物荷室システム全体（及び個々の小荷物荷室）を参照することができる。配送アドレスの２つの定義が含まれる。本発明は各ケースにおいて利用される配送アドレスに適用可能である。
[アドレッシング]
受取人が店に注文をすると、請求アドレスと共に配送アドレスを与える。
【００３０】
所望のＰＡＣＫＳＴＡＴＩＯＮのアドレス（ＰＡＣＫＳＴＡＴＩＯＮアドレス）が配送アドレスに示される。配達物をＰＡＣＫＳＴＡＴＩＯＮ配達物と明確に識別し、かつ当該顧客を識別するため、配送アドレスではまた、郵便番号が示される必要がある。
【００３１】
ＰＡＣＫＳＴＡＴＩＯＮアドレスは、配達がなされる顧客毎のオートマットアドレス（ａｕｔｏｍａｔ  ａｄｄｒｅｓｓ）または支店アドレスである。好ましくは、このアドレスは、郵便番号と、ＰＡＣＫＳＴＡＴＩＯＮ番号、実際の郵便番号及び町からなる。
【００３２】
他の配達可能なアドレッシングの例が以下に示される。
【００３３】
【表１】
2005505480.tif 000002
・  可能な場合、同一のハウスナンバー（ｈｏｕｓｅ  ｎｕｍｂｅｒ）/オートマット番号が隣接する郵便番号領域に発行されないようハウスナンバーが選ばれる。
・  ハウスナンバーは３桁の番号である。
・  オートマット及び支店の明確な割り当てが確保されるようハウスナンバーは２つのフィールドに分割される。
・  番号の範囲はオートマットには００１−４９９、支店には５００−９９９として定義される。
・  支店のオートマットが指定され、オートマットとしてアドレスされる。
・  各郵便コードに対して、オートマット/支店の番号付けは別々には行われない。しかし、定義された郵便番号領域によると、例えば、５３またはボンの市街地で、すなわち、郵便番号地域で、ここでは５３地域で、ハウスナンバーが全体的基礎により連続的に発行される。隣接する郵便番号が異なる番号付けから開始される。
【００３４】
この番号付けはＰＡＣＫＳＴＡＴＩＯＮＳに従い行われる。特に、これらはロジスティックシステム及び小荷物を集荷する小荷物荷室システムまたは支店である。
【００３５】
【表２】
2005505480.tif 000003
このアドレッシング形式の長所
・  表現に富む通りの名前
・  より良好なマーケティングの可能性
・  より高い顧客支持
・  好ましくは、顧客はすべての代替的配送オプションに対し唯一の郵便番号を有する。好ましくは、例えば、郵便番号は顧客に割り当てられ識別するための１０桁の番号である。好ましくは、それは、名前のサフィックスとして配送アドレスの一部である。
・  顧客は各オートマットに対し別々に登録する必要はない。
・  地理的「郵便番号システム」が保持される。
・  競争のねじれによる問題がない。
このアドレッシング形式の短所
・  内勤職員のための肉体的労働
・  送信者は完全に通知されていなければならない。
・  郵便番号の送信の安全性が確保される。
以下の表は好適な処理ステップの説明を含む。
処理
【００３６】
【表３】
2005505480.tif 000004
シーケンス
必須条件
送り手は、注文フォームにおけるシステムでの代替的な配達アドレスとオプションとして追加的なアドレスラインの受信及び起動の可能性を有する。
【００３７】
例えば、物品管理システムや積荷ロジスティックシステムにおける、例えば、オンラインショップでの配送アドレスの自動チェックがスイッチオフされなければならないか、あるいはＰＡＣＫＳＴＡＴＩＯＮアドレスの受信がなされねばならない。
【００３８】
受信者は、ＰＡＣＫＳＴＡＴＩＯＮアドレスを知って、それを自ら入力しなければならない。
【００３９】
郵便番号は、配送アドレスで示されねばならない（＝小荷物のアドレッシング）。
【００４０】
特に好適な実施例の統合のための必要条件は、
・  通りの指定の定義
・  ＬＯＳファイルの更新
・  他の配送オプションの場所についての中心グループＢＤＶ/ＬＯＳへの通知
・  ドイツポストＡＧへの送り手を会した発注側からの郵便番号の送信
ポスト地点での印刷オーダー（ファックス、手紙）の正しいアドレッシングの実現を可能にするため、他の配達アドレスのフィールドを実現する必要がしばしばある。
【００４１】
取得/送信されるべきデータ
最も重要な情報は、
・  郵便番号
・  姓、オプションとして名前（十分なスペースが利用可能であれば）
・  所望のＰＡＣＫＳＴＡＴＩＯＮの通りと番号
・  所望のＰＡＣＫＳＴＡＴＩＯＮの郵便番号と町
・  内勤職員による配達基礎に入力される郵便番号
説明された例は、郵便小荷物の配送方法の好適実施例を示す。
【００４２】
第１に選択された仮の配送アドレスから最終的な配送アドレスへの移行により、郵便小荷物の当該受取人への柔軟な配送が実現可能となる。
【００４３】
また、これにより、受取人が第三者を受取人に指定することも可能となる。
【００４４】
例えば、小荷物の受け取り、あるいはそれの電子小荷物荷室システムからの引き取りを行うことができないユーザは、可能であれば暗号形式で受信者としての第三者についての識別情報を入力することにより、当該第三者について処理に集中統合されるサーバに、好ましくはウェブサーバに、通知することができる。
【００４５】
このようにして、もとの指定された受取人以外の第三者が、当該第三者がもとの受取人の秘密保持されるユーザ識別情報を知ることなく、所定の期間内に電子小荷物荷室システムから小荷物を受け取ることができる。
【国際公開パンフレット】
2005505480.tif 000005
2005505480.tif 000006
2005505480.tif 000007
2005505480.tif 000008
2005505480.tif 000009
2005505480.tif 000010
2005505480.tif 000011
2005505480.tif 000012
2005505480.tif 000013
2005505480.tif 000014
2005505480.tif 000015
2005505480.tif 000016
2005505480.tif 000017
2005505480.tif 000018
【手続補正書】
【提出日】平成15年10月15日(2003.10.15)
【手続補正１】
【補正対象書類名】明細書
【補正対象項目名】０００１
【補正方法】変更
【補正の内容】
【０００１】
本発明は、郵便小荷物配送方法及び装置に関する。
欧州特許出願ＥＰ１，０５３，７９８Ａ２は仮想郵便局ボックスを開示する。物理的には存在しない郵便局ボックスが、ユーザに貸与され、当該ユーザのアドレスにリンクされる。仮想郵便局ボックスにアドレスされた郵便小荷物が仕分け処理から分離され、貸与者のアドレスに転送される。貸与者は、郵便小荷物が所与のアドレスに転送されるべき期間を示すことができる。同一のトークンにより、郵便サービス会社にこの点に関する通知を行うことにより、アドレスの変更が可能となる。
米国特許第６，２６９，３６９Ｂ１号は、第１ユーザの選択されたアドレス情報が第２ユーザにアクセス可能とされるネットワークベースコンタクトマネージャを説明する。第１ユーザのアドレスデータの変更が第２ユーザに送信され、その後、このアドレスデータが第２ユーザのアドレスブックにおいて更新される。
【手続補正２】
【補正対象書類名】明細書
【補正対象項目名】０００５
【補正方法】変更
【補正の内容】
【０００５】
本発明によると、
・  郵便小荷物の配達のため配送アドレスを入力するステップ；
・  受取人により予め決められた手続きにより配送アドレスを変更するステップ、及び／または
・  少なくとも１つの小荷物荷室システムの空の荷室の機能として配送アドレスを変更するステップ、及び
・  変更された配送アドレスへ郵便小荷物を配達するステップ
により本方法は実行されることにより、この目的は実現される。
【手続補正３】
【補正対象書類名】特許請求の範囲
【補正対象項目名】全文
【補正方法】変更
【補正の内容】
【特許請求の範囲】
【請求項１】
郵便小荷物配送方法であって、
郵便小荷物の配達のため配送アドレスを入力するステップ、
受取人により予め決められた手続きに従い前記配送アドレスを変更するステップ、及び／または、
少なくとも１つの小荷物荷室システムの空の荷室の機能として前記配送アドレスを変更するステップ、
前記郵便小荷物を前記変更された配送アドレスへ配達するステップ、
からなることを特徴とする郵便小荷物配送方法。
【請求項２】
請求項１記載の郵便小荷物配送方法であって、受取人識別コードが前記受取人に割り当てられ、それにより前記受取人識別コードと前記所望の配送アドレスが互いにリンク付け可能であることを特徴とする郵便小荷物配送方法。
【請求項３】
請求項１及び２の一項または両方に記載の郵便小荷物配送方法であって、前記郵便小包の配達はテーブルに含まれるデータに基づきなされることを特徴とする郵便小荷物配送方法。
【国際調査報告】
2005505480.tif 000019
2005505480.tif 000020
2005505480.tif 000021
2005505480.tif 000022